(57)【要約】【課題】  高圧洗浄作業者が無理な姿勢で作業をしなくとも、簡単に高圧洗浄を行うことができ、しかも、トラップ内部もきれいに洗浄することができる排水トラップ構造を提供する。【解決手段】  浴槽、流し台、洗面台、手洗い器のシンクの底部に連通接続されてなる排水トラップ部１５の排水口１６と、該トラップ部１５の隔壁２１で画成された流路のシンク側に開設された洗浄口１８と、をキャップで開閉自在とした。キャップは、排水口用キャップ１９と洗浄口用キャップ２０とを別体に構成し、或は、両キャップを一体２０Ａに形成した。【選択図】図１
2006328814.tif 000002
【特許請求の範囲】
【請求項１】
シンクの底部に連通接続されてなる排水トラップ部の排水口と、該トラップ部の隔壁で画成された流路のシンク側に開設された洗浄口と、を有し、該洗浄口からトラップ下流部の内壁を洗浄具で洗浄することができるように、上記洗浄口とトラップ下流部が練通されるように形成されていることを特徴とする排水トラップ構造。
【請求項２】
前記該トラップ部の隔壁で画成された流路のシンク側に開設された洗浄口を、キャップで開閉自在としたことを特徴とする請求項１に記載の排水トラップ構造。
【請求項３】
前記キャップは、前記排水口と洗浄口とを同時に開閉できるように一体に形成されていることを特徴とする請求項１又は請求項２のいずれかに記載の排水トラップ構造。
【請求項４】
前記キャップは、前記排水口と洗浄口とを独立に夫々開閉できるように別体に形成されていることを特徴とする請求項１又は請求項２のいずれかに記載の排水トラップ構造。
【発明の詳細な説明】
【技術分野】
【０００１】
この発明は、浴槽、流し台、洗面台、手洗い器に連通接続されている排水トラップ構造に係り、特にトラップ内部も高圧洗浄が可能な排水トラップ構造に関する。
【背景技術】
【０００２】
従来のこの種のトラップとしては、ワントラップが主流であったが、シンク下方の収納量を増加させるため、Ｓトラップが多く用いられている。
【０００３】
このようなＳトラップを採用している集合住宅では、定期的に高圧洗浄処理が実施されているが、このような従来のＳトラップが採用されている流し台等の場合、例えば特許文献１に示すように、シンクの下に作業員が潜り込んで作業をしなければならないため、かかる作業が非常に煩雑であった。
【０００４】
このような問題を解決するため、近年では、例えば、特許文献２或は特許文献３に示す構造が提案されている。
【０００５】
特許文献２に示す構造は、網かごを収容可能な本体に排水口を設けると共に開閉可能な洗浄口を備え、前記排水口にはＳ字トラップ、Ｕ字トラップ等のサイホン式トラップを接続すると共に、前記洗浄口と前記トラップの少なくとも封水底よりも下流の一部とをバイパス管で接続したことを特徴とする排水トラップ構造である。
【０００６】
また、特許文献３に示す構造は、槽体の底面に設けられた排水口からの排水を排出する排水トラップ配管であって、該排水トラップ配管を、排水口と、排水口の下流側に設けられた、管体を屈曲させ封水部としたトラップ部と、排水口とトラップ部を連通するトラップ上流管部と、トラップ部と床下配管を連通するトラップ下流管部と、から構成すると共に、排水口に、排水口からトラップ下流管部に連通し、トラップ部を通過しないバイパス管路を設け、更に該バイパス管路を水密的に閉塞する、バイパス管路に着脱自在で排水口から取り出すことが可能なキャップ部材を備えたことを特徴とする排水トラップ配管である。
【０００７】
【特許文献１】特開２００３−０８８８２１号公報
【０００８】
【特許文献２】特開２００４−１９０４７４号公報
【０００９】
【特許文献３】特開２００４−２７０２９０号公報
【発明の開示】
【発明が解決しようとする課題】
【００１０】
しかしながら、上記特許文献２や特許文献３に示すＳトラップ構造では、トラップ部より下流の高圧洗浄は可能であるが、トラップ内部を高圧洗浄することができない、という問題を有していた。また、トラップ内部にゴミが詰まったときに、排出することができるように、トラップ下端に、ドレン穴を設ける場合も多かった。
【００１１】
この発明は、かかる現状に鑑み創案されたものであって、その目的とするところは、高圧洗浄作業者が無理な姿勢で作業をしなくとも、簡単に高圧洗浄を行うことができ、しかも、トラップ部の内部もきれいに洗浄することができる排水トラップ構造を提供しようとするものである。
【課題を解決するための手段】
【００１２】
上記目的を達成するため、請求項１に記載の排水トラップ構造にあっては、シンクの底部に連通接続されてなる排水トラップ部の排水口と、該トラップ部の隔壁で画成された流路のシンク側に開設された洗浄口と、を有し、該洗浄口からトラップ下流部の内壁を洗浄具で洗浄することができるように、上記洗浄口とトラップ下流部が練通されるように形成されていることを特徴とする。
【００１３】
また、請求項２に記載の発明にあっては、請求項１に記載の排水トラップ構造を技術的前提とし、前記トラップ部の隔壁で画成された流路のシンク側に開設された洗浄口を、キャップで開閉自在としたことを特徴とする。
【００１４】
さらに、請求項３に記載の発明にあっては、請求項１又は請求項２のいずれかに記載の排水トラップ構造を技術的前提とし、前記キャップは、前記排水口と洗浄口とを同時に開閉できるように一体に形成されていることを特徴とする。
【００１５】
さらに、請求項４に記載の発明にあっては、請求項１又は請求項２のいずれかに記載の排水トラップ構造を技術的前提とし、前記キャップは、前記排水口と洗浄口とを独立に夫々開閉できるように別体に形成されていることを特徴とする。
【発明の効果】
【００１６】
以上説明したように、請求項１に記載の発明にあっては、シンクの底部に連通接続されてなる排水トラップ部の排水口と、該トラップ部の隔壁で画成された流路のシンク側に開設された洗浄口と、を有し、該洗浄口からトラップ下流部の内壁を洗浄具で洗浄することができるように、上記洗浄口とトラップ下流部が練通されるように形成したので、高圧洗浄作業者が無理な姿勢で作業をしなくとも、簡単に高圧洗浄を行うことができ、しかも、トラップ部の内部もきれいに洗浄することができる。
【００１７】
また、請求項２に記載の発明にあっては、前記トラップ部の隔壁で画成された流路のシンク側に開設された洗浄口を、キャップで開閉自在としたので、洗浄口側のキャップを取り付けた状態では、通常のＳトラップとして機能し、これを取り外した場合には、トラップ部の下流側が広く開口するので、高圧洗浄ノズルをシンク側から楽な姿勢で差し込んで洗浄作業をすることができる。
【００１８】
また、請求項３に記載の発明にあっては、排水口と洗浄口とを同時に開閉することができるように一体形成したので、キャップの着脱作業を簡易化し、部品点数を低減してコストダウンを図ることができる。
【００１９】
さらに、請求項４に記載の発明にあっては、キャップを別体形成したので、排水口と洗浄口のいずれかの洗浄作業を、所望の態様で行うことができる、という優れた効果を得ることができる。
【発明を実施するための最良の形態】
【００２０】
以下、添付図面に示す発明の実施例に基づき、この発明を詳細に説明する。
【００２１】
図１は、この発明の実施例１に係る排水トラップの縦断面図を、図２は同排水トラップの半截平面図を、図３は同排水トラップ内部を高圧洗浄する場合を示す説明図を、図４は同排水トラップ内部をブラシで洗浄する場合を示す説明図である。
【００２２】
即ち、この実施形態例に係る排水Ｓトラップ１０は、その上端部がシンクの底部に開設された排水穴に連通接続され、下流端部には下水管４が連通接続される。
【００２３】
この排水Ｓトラップ１０は、上記排水穴の１段落とし込まれた段部に嵌合係止されるフランジ部１１を有する断面略凹状のゴミ収納部１２と、このゴミ収納部１２の底部１３に上端が連通する断面略Ｕ字状の排水トラップ部１５と、この排水トラップ部１５をＳ字状に画成する隔壁部２１と、から構成されている。
【００２４】
この隔壁部２１は、ゴミ収納部１２と一体に形成されており、該隔壁部２１と上記底部１３との間に排水口１６が開設され、また、上記隔壁部２１とゴミ収納部１２の内周壁面１７との間に洗浄口１８が開設され、これら各排水口１６と洗浄口１８には、キャップ１９，２０が着脱自在に装着されている。尚、これらキャップ１９，２０には、図示はしないが、把持片を突設するのが望ましい。
【００２５】
そして、上記キャップ１９には、複数個の排水孔２３が開設されている。尚、本実施形態例では４個開設されているが、排水孔数は、適宜増減させることができる。また、キャップ２０は、装着時には、洗浄口１８を水密状態に保持するように形成されている。
【００２６】
従って、上記キャップ１９，２０を各排水口１６と洗浄口１８に装着した状態では、通常のＳ字型トラップとして機能し、キャップ２０を取り外した場合には、Ｓ字トラップ部１５の下流側１５Ａが開口するので、図３に示すように、ホースＨの先端の高圧洗浄ノズルＮをシンク側から楽な姿勢で差し込んで洗浄作業をすることができ、しかも、排水トラップ部１５の下流は勿論、キャップ１９を取り外すと、排水トラップ部１５の上流側（排水口側）も広く開口するので、トラップ部１５の内部をきれいに洗浄することができ、衛生的である、という効果が得られる。勿論、図４に示すように、洗浄ブラシＢでＳ字トラップ部１５の上流側（排水口側）と下流側１５Ａの内部をきれいに洗浄することができるので、排水トラップ部１５の下端にドレン穴を開設する必要がなくなり、水漏れの心配がなくコストダウンを図ることができる。
【００２７】
図５は、この発明の実施例２に係る排水トラップのキャップ２０Ａを示しており、この実施例２では、実施例１で説明したキャップ１９，２０を一体に形成し、屈曲部に隔壁部２１の上端部に密に嵌合係止されるスリット溝２２を開設して構成した他は、他の構成・作用・効果は、前記実施例１と同様なので、実施例１と同様の構成部分には、実施例１で用いた符号と同一の符号を図面に付すことで、その詳細な説明をここでは省略する。
【００２８】
この実施例２では、キャップ２０Ａを一体に形成したので、実施例１の作用・効果に加え、排水口１６と洗浄口１８とを同時に開閉することができるので、キャップ２０Ａの着脱作業が簡単であり、しかも、部品点数を低減してコストダウンを図ることができる。
【００２９】
尚、この発明においては、上記キャップ１９，２０，２０Ａのデザインを、例えば、シンクの材質と同じ材質で形成し、或は、異なる着色を施すことで、シンクのイメージを適宜変更することができ、従来のシンクと容易に識別することが可能となり、広告宣伝機能も付与することができる。また、洗浄口からトラップ下流部を洗浄する際に、直線状の洗浄具をしようできるような位置に洗浄口を形成するのが好適である。
【図面の簡単な説明】
【００３０】
【図１】この発明の実施例１に係る排水トラップの縦断面図である。
【図２】同排水トラップの半截平面図である。
【図３】同排水トラップ内部を高圧洗浄する場合を示す説明図である。
【図４】同排水トラップ内部をブラシで洗浄する場合を示す説明図である。
【図５】この発明の実施例２に係る排水トラップのキャップの構成を示す平面図である。
【符号の説明】
【００３１】
Ｂ  洗浄ブラシ
Ｎ  高圧洗浄ノズル
４  下水管
１０  排水Ｓトラップ
１２  ゴミ収納部
１３  ゴミ収納部の底部
１５  排水トラップ部
１６  排水口
１８  洗浄口
１９，２０，２０Ａ  キャップ
２１  隔壁部
２２  スリット溝
２３  排水孔
【図１】
2006328814.tif 000003
【図２】
2006328814.tif 000004
【図３】
2006328814.tif 000005
【図４】
2006328814.tif 000006
【図５】
2006328814.tif 000007
【手続補正書】
【提出日】平成17年5月31日(2005.5.31)
【手続補正１】
【補正対象書類名】特許請求の範囲
【補正対象項目名】請求項１
【補正方法】変更
【補正の内容】
【請求項１】
シンクの底部に連通接続されてなる排水トラップ部の排水口と、該トラップ部の隔壁で画成された流路のシンク側に開設された洗浄口と、を有し、該洗浄口からトラップ下流部の内壁を洗浄具で洗浄することができるように、上記洗浄口とトラップ下流部が連通されるように形成されていることを特徴とする排水トラップ構造。
【手続補正２】
【補正対象書類名】明細書
【補正対象項目名】００１２
【補正方法】変更
【補正の内容】
【００１２】
上記目的を達成するため、請求項１に記載の排水トラップ構造にあっては、シンクの底部に連通接続されてなる排水トラップ部の排水口と、該トラップ部の隔壁で画成された流路のシンク側に開設された洗浄口と、を有し、該洗浄口からトラップ下流部の内壁を洗浄具で洗浄することができるように、上記洗浄口とトラップ下流部が連通されるように形成されていることを特徴とする。
【手続補正３】
【補正対象書類名】明細書
【補正対象項目名】００１６
【補正方法】変更
【補正の内容】
【００１６】
以上説明したように、請求項１に記載の発明にあっては、シンクの底部に連通接続されてなる排水トラップ部の排水口と、該トラップ部の隔壁で画成された流路のシンク側に開設された洗浄口と、を有し、該洗浄口からトラップ下流部の内壁を洗浄具で洗浄することができるように、上記洗浄口とトラップ下流部が連通されるように形成したので、高圧洗浄作業者が無理な姿勢で作業をしなくとも、簡単に高圧洗浄を行うことができ、しかも、トラップ部の内部もきれいに洗浄することができる。